(57)【要約】【課題】ホームネットワークに接続されている電子機器の状態や動作に関する情報を、映像表示装置において放送コンテンツにオーバーレイ表示することが可能な、ホームネットワークシステムを得る。【解決手段】ホームネットワークシステム１は、通信ネットワーク３と、通信ネットワーク３に接続されたホームゲートウェイ４と、通信ネットワーク３に接続され、放送コンテンツと、所定のマークアップ言語で記述されたデータとを表示可能なテレビ５Ａ，５Ｂと、通信ネットワーク３に接続された複数の電子機器とを備える。ホームゲートウェイ４は、電子機器の状態及び／又は動作に関する電子機器情報を取得し、当該電子機器情報を含む所定のマークアップ言語で記述されたデータを、通信ネットワーク３を介してテレビ５Ａ，５Ｂに送信する。テレビ５Ａ，５Ｂは、ホームゲートウェイ４から受信したデータを放送コンテンツにオーバーレイ表示する。【選択図】図１
2011010084.tif 000002
【特許請求の範囲】
【請求項１】
通信ネットワークと、
前記通信ネットワークに接続されたホームゲートウェイと、
前記通信ネットワークに接続され、放送コンテンツと、所定のマークアップ言語で記述されたデータとを表示可能な映像表示装置と、
前記通信ネットワークに接続された複数の電子機器と
を備え、
前記ホームゲートウェイは、前記電子機器の状態及び／又は動作に関する電子機器情報を取得し、当該電子機器情報を含む前記所定のマークアップ言語で記述されたデータを、前記通信ネットワークを介して前記映像表示装置に送信し、
前記映像表示装置は、前記ホームゲートウェイから受信した前記データを前記放送コンテンツにオーバーレイ表示する、ホームネットワークシステム。
【請求項２】
前記複数の電子機器にはＩＰ（Internet Protocol）電話が含まれ、
前記ホームゲートウェイは、前記ＩＰ電話への着信情報を取得し、着信報知情報を含む前記所定のマークアップ言語で記述されたデータを、前記通信ネットワークを介して前記映像表示装置に送信し、
前記映像表示装置は、前記ホームゲートウェイから受信した前記着信報知情報を前記放送コンテンツにオーバーレイ表示する、請求項１に記載のホームネットワークシステム。
【請求項３】
前記ＩＰ電話はテレビ電話機能を有しており、
前記ホームゲートウェイは、通信相手の端末から送信されてきた通信相手の映像を取得し、当該通信相手の映像を前記所定のマークアップ言語で記述して、前記通信ネットワークを介して前記映像表示装置に送信し、
前記映像表示装置は、前記ホームゲートウェイから受信した前記通信相手の映像を前記放送コンテンツにオーバーレイ表示する、請求項２に記載のホームネットワークシステム。
【請求項４】
前記複数の電子機器にはドアホンが含まれ、
前記ホームゲートウェイは、前記ドアホンが有する呼出スイッチの押下情報を取得し、来客報知情報を含む前記所定のマークアップ言語で記述されたデータを、前記通信ネットワークを介して前記映像表示装置に送信し、
前記映像表示装置は、前記ホームゲートウェイから受信した前記来客報知情報を前記放送コンテンツにオーバーレイ表示する、請求項１に記載のホームネットワークシステム。
【請求項５】
前記ドアホンは訪問者を撮影する撮影機能を有しており、
前記ホームゲートウェイは、前記ドアホンから送信されてきた訪問者の映像を取得し、当該訪問者の映像を前記所定のマークアップ言語で記述して、前記通信ネットワークを介して前記映像表示装置に送信し、
前記映像表示装置は、前記ホームゲートウェイから受信した前記訪問者の映像を前記放送コンテンツにオーバーレイ表示する、請求項４に記載のホームネットワークシステム。
【請求項６】
前記複数の電子機器にはセンサ機器が含まれ、
前記ホームゲートウェイは、前記センサ機器からの異常検知情報を取得し、異常報知情報を含む前記所定のマークアップ言語で記述されたデータを、前記通信ネットワークを介して前記映像表示装置に送信し、
前記映像表示装置は、前記ホームゲートウェイから受信した前記異常報知情報を前記放送コンテンツにオーバーレイ表示する、請求項１に記載のホームネットワークシステム。
【請求項７】
通信ネットワークと、
前記通信ネットワークに接続されたホームゲートウェイと、
前記通信ネットワークに接続され、放送コンテンツと、所定のマークアップ言語で記述されたデータとを表示可能な映像表示装置と、
前記通信ネットワークに接続された複数の電子機器と
を有するホームネットワークシステムにおける通信方法であって、
（Ａ）前記電子機器の状態及び／又は動作に関する電子機器情報を前記ホームゲートウェイが取得するステップと、
（Ｂ）前記ステップ（Ａ）で取得した前記電子機器情報を含む前記所定のマークアップ言語で記述されたデータを、前記ホームゲートウェイから前記通信ネットワークを介して前記映像表示装置に送信するステップと、
（Ｃ）前記映像表示装置において、前記ホームゲートウェイから受信した前記データを前記放送コンテンツにオーバーレイ表示するステップと
を備える、通信方法。
【発明の詳細な説明】
【技術分野】
【０００１】
本発明は、ホームネットワークシステム及びその通信方法に関する。
【背景技術】
【０００２】
近年における通信技術の発展に伴い、ＩＰ放送、ＩＰ再送信、又はＶＯＤ（Video On Demand）等の、ＩＰネットワークを経由して放送コンテンツ（映像コンテンツを含む。以下同様）を配信するサービスが普及しつつある。当該サービスを利用するためには、ＩＰ放送の放送局若しくはＩＰ再送信の送信局、又はＶＯＤサーバ等の映像送信装置から放送コンテンツのストリームを受信して復号するために、セットトップボックスがテレビに接続される。また、データ放送等によって配信された各種情報を、セットトップボックスによってデコードされた放送コンテンツにオーバーレイ表示することも可能である。
【０００３】
なお、下記特許文献１には、ＩＰネットワークを経由したディジタル放送の再送信装置に関する技術が開示されている。
【０００４】
また、近年におけるネットワーク技術の発展に伴い、家庭内やオフィス内においても、パソコンやＩＰ電話等の複数のネットワーク機器を相互に接続するホームネットワークシステムが普及しつつある。ホームネットワークシステムには、ホームネットワークと外部ネットワークとを接続するためのインタフェースとして、ホームゲートウェイ装置（以下、「ホームゲートウェイ」と略称する）が接続される。ホームゲートウェイは、ホームネットワークと外部ネットワークとの間の信号の送受信、プロトコル変換、及びルーティング等を行うとともに、ホームネットワークに接続されている各種の電子機器の管理や制御を行う。
【先行技術文献】
【特許文献】
【０００５】
【特許文献１】特開２００７−１６６４０９号公報
【発明の概要】
【発明が解決しようとする課題】
【０００６】
ホームネットワークに接続されている電子機器の状態や動作に関する情報を、ＯＳＤ（On Screen Display）画面として放送コンテンツにオーバーレイ表示する場合を考える。この場合、放送コンテンツと、ホームゲートウェイから受信した電子機器の情報に関する信号とを、セットトップボックスによってデコードした後に、セットトップボックス内において放送コンテンツとＯＳＤ画面とを合成する必要がある。そのため、複数のテレビが設置されている宅内において、当該複数のテレビで上記と同様のオーバーレイ表示を行うためには、テレビの台数に応じて複数のセットトップボックスを設置する必要がある。その結果、ユーザの経済的負担が大きくなる。
【０００７】
本発明はかかる事情に鑑みて成されたものであり、複数の映像表示装置の各々にセットトップボックスが接続されていない場合であっても、ホームネットワークに接続されている電子機器の状態や動作に関する情報を、各映像表示装置において放送コンテンツにオーバーレイ表示することが可能な、ホームネットワークシステム及びその通信方法を得ることを目的とするものである。
【課題を解決するための手段】
【０００８】
本発明の第１の態様に係るホームネットワークシステムは、通信ネットワークと、前記
通信ネットワークに接続されたホームゲートウェイと、前記通信ネットワークに接続され、放送コンテンツと、所定のマークアップ言語で記述されたデータとを表示可能な映像表示装置と、前記通信ネットワークに接続された複数の電子機器とを備え、前記ホームゲートウェイは、前記電子機器の状態及び／又は動作に関する電子機器情報を取得し、当該電子機器情報を含む前記所定のマークアップ言語で記述されたデータを、前記通信ネットワークを介して前記映像表示装置に送信し、前記映像表示装置は、前記ホームゲートウェイから受信した前記データを前記放送コンテンツにオーバーレイ表示することを特徴とするものである。
【０００９】
第１の態様に係るホームネットワークシステムによれば、ホームゲートウェイは、電子機器の状態及び／又は動作に関する電子機器情報を取得し、当該電子機器情報を含む、映像表示装置が表示可能な所定のマークアップ言語で記述されたデータを、通信ネットワークを介して映像表示装置に送信する。そして、映像表示装置は、ホームゲートウェイから受信した当該データを放送コンテンツにオーバーレイ表示する。このように、ホームゲートウェイから映像表示装置には、電子機器の状態及び／又は動作に関する電子機器情報を含むデータが、映像表示装置が表示可能な所定のマークアップ言語で記述されて送信される。その結果、複数の映像表示装置の各々にセットトップボックスが接続されていない場合であっても、電子機器の状態及び／又は動作に関する電子機器情報を含むデータを、各映像表示装置において放送コンテンツにオーバーレイ表示することが可能となる。
【００１０】
本発明の第２の態様に係るホームネットワークシステムは、第１の態様に係るホームネットワークシステムにおいて特に、前記複数の電子機器にはＩＰ電話が含まれ、前記ホームゲートウェイは、前記ＩＰ電話への着信情報を取得し、着信報知情報を含む前記所定のマークアップ言語で記述されたデータを、前記通信ネットワークを介して前記映像表示装置に送信し、前記映像表示装置は、前記ホームゲートウェイから受信した前記着信報知情報を前記放送コンテンツにオーバーレイ表示することを特徴とするものである。
【００１１】
第２の態様に係るホームネットワークシステムによれば、ホームゲートウェイは、ＩＰ電話への着信情報を取得し、着信報知情報を含む、映像表示装置が表示可能な所定のマークアップ言語で記述されたデータを、通信ネットワークを介して映像表示装置に送信する。そして、映像表示装置は、ホームゲートウェイから受信した着信報知情報を放送コンテンツにオーバーレイ表示する。このように、ＩＰ電話に関する着信報知情報を映像表示装置において放送コンテンツにオーバーレイ表示することにより、ユーザの利便性の向上を図ることができる。
【００１２】
本発明の第３の態様に係るホームネットワークシステムは、第２の態様に係るホームネットワークシステムにおいて特に、前記ＩＰ電話はテレビ電話機能を有しており、前記ホームゲートウェイは、通信相手の端末から送信されてきた通信相手の映像を取得し、当該通信相手の映像を前記所定のマークアップ言語で記述して、前記通信ネットワークを介して前記映像表示装置に送信し、前記映像表示装置は、前記ホームゲートウェイから受信した前記通信相手の映像を前記放送コンテンツにオーバーレイ表示することを特徴とするものである。
【００１３】
第３の態様に係るホームネットワークシステムによれば、ホームゲートウェイは、通信相手の端末から送信されてきた通信相手の映像を取得し、当該通信相手の映像を、映像表示装置が表示可能な所定のマークアップ言語で記述して、通信ネットワークを介して映像表示装置に送信する。そして、映像表示装置は、ホームゲートウェイから受信した通信相手の映像を放送コンテンツにオーバーレイ表示する。このように、通信相手の映像を映像表示装置において放送コンテンツにオーバーレイ表示することにより、ユーザの利便性の向上を図ることができる。
【００１４】
本発明の第４の態様に係るホームネットワークシステムは、第１の態様に係るホームネットワークシステムにおいて特に、前記複数の電子機器にはドアホンが含まれ、前記ホームゲートウェイは、前記ドアホンが有する呼出スイッチの押下情報を取得し、来客報知情報を含む前記所定のマークアップ言語で記述されたデータを、前記通信ネットワークを介して前記映像表示装置に送信し、前記映像表示装置は、前記ホームゲートウェイから受信した前記来客報知情報を前記放送コンテンツにオーバーレイ表示することを特徴とするものである。
【００１５】
第４の態様に係るホームネットワークシステムによれば、ホームゲートウェイは、ドアホンが有する呼出スイッチの押下情報を取得し、来客報知情報を含む、映像表示装置が表示可能な所定のマークアップ言語で記述されたデータを、通信ネットワークを介して映像表示装置に送信する。そして、映像表示装置は、ホームゲートウェイから受信した来客報知情報を放送コンテンツにオーバーレイ表示する。このように、来客報知情報を映像表示装置において放送コンテンツにオーバーレイ表示することにより、ユーザの利便性の向上を図ることができる。
【００１６】
本発明の第５の態様に係るホームネットワークシステムは、第４の態様に係るホームネットワークシステムにおいて特に、前記ドアホンは訪問者を撮影する撮影機能を有しており、前記ホームゲートウェイは、前記ドアホンから送信されてきた訪問者の映像を取得し、当該訪問者の映像を前記所定のマークアップ言語で記述して、前記通信ネットワークを介して前記映像表示装置に送信し、前記映像表示装置は、前記ホームゲートウェイから受信した前記訪問者の映像を前記放送コンテンツにオーバーレイ表示することを特徴とするものである。
【００１７】
第５の態様に係るホームネットワークシステムによれば、ホームゲートウェイは、ドアホンから送信されてきた訪問者の映像を取得し、当該訪問者の映像を、映像表示装置が表示可能な所定のマークアップ言語で記述して、通信ネットワークを介して映像表示装置に送信する。そして、映像表示装置は、ホームゲートウェイから受信した訪問者の映像を放送コンテンツにオーバーレイ表示する。このように、訪問者の映像を映像表示装置において放送コンテンツにオーバーレイ表示することにより、ユーザの利便性の向上を図ることができる。
【００１８】
本発明の第６の態様に係るホームネットワークシステムは、第１の態様に係るホームネットワークシステムにおいて特に、前記複数の電子機器にはセンサ機器が含まれ、前記ホームゲートウェイは、前記センサ機器からの異常検知情報を取得し、異常報知情報を含む前記所定のマークアップ言語で記述されたデータを、前記通信ネットワークを介して前記映像表示装置に送信し、前記映像表示装置は、前記ホームゲートウェイから受信した前記異常報知情報を前記放送コンテンツにオーバーレイ表示することを特徴とするものである。
【００１９】
第６の態様に係るホームネットワークシステムによれば、ホームゲートウェイは、センサ機器からの異常検知情報を取得し、異常報知情報を含む、映像表示装置が表示可能な所定のマークアップ言語で記述されたデータを、通信ネットワークを介して映像表示装置に送信する。そして、映像表示装置は、ホームゲートウェイから受信した異常報知情報を放送コンテンツにオーバーレイ表示する。このように、異常報知情報を映像表示装置において放送コンテンツにオーバーレイ表示することにより、ユーザの利便性の向上を図ることができる。
【００２０】
本発明の第７の態様に係る通信方法は、通信ネットワークと、前記通信ネットワークに
接続されたホームゲートウェイと、前記通信ネットワークに接続され、放送コンテンツと、所定のマークアップ言語で記述されたデータとを表示可能な映像表示装置と、前記通信ネットワークに接続された複数の電子機器とを有するホームネットワークシステムにおける通信方法であって、（Ａ）前記電子機器の状態及び／又は動作に関する電子機器情報を前記ホームゲートウェイが取得するステップと、（Ｂ）前記ステップ（Ａ）で取得した前記電子機器情報を含む前記所定のマークアップ言語で記述されたデータを、前記ホームゲートウェイから前記通信ネットワークを介して前記映像表示装置に送信するステップと、（Ｃ）前記映像表示装置において、前記ホームゲートウェイから受信した前記データを前記放送コンテンツにオーバーレイ表示するステップとを備えることを特徴とするものである。
【００２１】
第７の態様に係る通信方法によれば、ステップ（Ａ）においてホームゲートウェイは、電子機器の状態及び／又は動作に関する電子機器情報を取得し、ステップ（Ｂ）においてホームゲートウェイは、当該電子機器情報を含む、映像表示装置が表示可能な所定のマークアップ言語で記述されたデータを、通信ネットワークを介して映像表示装置に送信する。そして、ステップ（Ｃ）において映像表示装置は、ホームゲートウェイから受信した当該電子機器情報を含むデータを放送コンテンツにオーバーレイ表示する。このように、ホームゲートウェイから映像表示装置には、電子機器の状態及び／又は動作に関する電子機器情報を含むデータが、映像表示装置が表示可能な所定のマークアップ言語で記述されて送信される。その結果、複数の映像表示装置の各々にセットトップボックスが接続されていない場合であっても、電子機器の状態及び／又は動作に関する電子機器情報を含むデータを、各映像表示装置において放送コンテンツにオーバーレイ表示することが可能となる。
【発明の効果】
【００２２】
本発明によれば、複数の映像表示装置の各々にセットトップボックスが接続されていない場合であっても、ホームネットワークに接続されている電子機器の状態や動作に関する情報を、各映像表示装置において放送コンテンツにオーバーレイ表示することが可能となる。
【図面の簡単な説明】
【００２３】
【図１】本発明の実施の形態に係るホームネットワークシステムの構成を示す図である。
【図２】ホームゲートウェイの機能構成を示す図である。
【図３】本発明の実施の形態に係るホームネットワークシステムの他の構成を示す図である。
【図４】テレビの外観を示す正面図である。
【図５】スタートメニューの一例を示す図である。
【図６】スタートメニューの一例を示す図である。
【図７】テレビの外観を示す正面図である。
【図８】スタートメニューの一例を示す図である。
【図９】テレビの外観を示す正面図である。
【図１０】スタートメニューの一例を示す図である。
【図１１】テレビの外観を示す正面図である。
【発明を実施するための形態】
【００２４】
以下、本発明の実施の形態について、図面を用いて詳細に説明する。なお、異なる図面において同一の符号を付した要素は、同一又は相応する要素を示すものとする。
【００２５】
図１は、本発明の実施の形態に係るホームネットワークシステム１の構成を示す図であ
る。ユーザの住宅２内には、有線ＬＡＮ（Local Area Network）等の通信ネットワーク３が敷設されている。但し、通信ネットワーク３は無線ＬＡＮであっても良い。図１に示した例では、通信ネットワーク３には、ホームゲートウェイ４、テレビ５Ａ，５Ｂ、カメラ・マイクユニット６Ａ，６Ｂ、ＩＰ（Internet Protocol）電話７Ａ、カメラ付きのドアホン７Ｂ、防犯センサ７Ｃ、及びパソコン７Ｄが接続されている。カメラ・マイクユニット６Ａ，６Ｂは、それぞれテレビ５Ａ，５Ｂに対応して設置されている。テレビ５Ａ，５ＢはＷｅｂ対応のディジタルテレビであり、所定の圧縮符号化形式（例えばＭＰＥＧ−２）の放送信号のほかに、ＢＭＬ（Broadcast Markup Language）及び／又はＨＴＭＬ（Hyper Text Markup Language）のマークアップ言語で記述されたデータを処理可能である。また、住宅２内には、ユーザが使用する携帯電話８が位置している。携帯電話８はホームゲートウェイ４との間で無線通信が可能であり、携帯電話８がホームゲートウェイ４の通信圏内に位置している場合（概ね住宅２内に位置している場合）には、携帯電話８はＩＰ電話７Ａの子機としての使用が可能である。なお、携帯電話８は、ＩＰ電話７Ａの携帯型子機であっても良い。
【００２６】
ホームゲートウェイ４は、住宅２の外部に敷設されたＩＰネットワーク等の通信ネットワーク９に接続されている。通信ネットワーク９には、ＩＰ放送局１５及び他のユーザのＩＰ電話１６が接続されている。ＩＰ放送局１５は、ＩＰ再送信の送信局、又はＶＯＤ（Video On Demand）サーバ等であっても良い。
【００２７】
図２は、ホームゲートウェイ４の機能構成を示す図である。ホームゲートウェイ４は、処理部２０、受信部２１、送信部２２、及び記憶部２３を備えて構成されている。受信部２１は、無線受信部４０及び有線受信部４１を有している。処理部２０は、放送信号処理部３０、ＢＭＬ／ＨＴＭＬサーバ３１、ＳＩＰ（Session Initiation Protocol）サーバ３２、ＩＰ電話処理部３３、ドアホン処理部３４、及びセンサ処理部３５を有している。送信部２２は、無線送信部５０及び有線送信部５１を有している。但し、ＳＩＰサーバ３２は、必ずしもホームゲートウェイ４内に実装される必要はなく、図３の変形例に示すように、ホームゲートウェイ４とは別体の装置として通信ネットワーク３に接続されていても良い。あるいはＳＩＰサーバ３２は、住宅２の外部の通信ネットワーク９に接続されていても良い。
【００２８】
以下、本実施の形態に係るホームネットワークシステム１の動作について説明する。
【００２９】
まず、テレビ５Ａ，５Ｂによって放送番組を視聴する際の処理について説明する。有線受信部４１は、ＩＰ放送局１５から送信された放送番組に関する映像及び音声のコンテンツ（以下「放送コンテンツ」と称す）を、通信ネットワーク９を介して受信する。ホームゲートウェイ４には、各テレビ５Ａ，５Ｂが処理可能な圧縮符号化方式に関する情報と、各テレビ５Ａ，５Ｂの画面解像度に関する情報とが予め教示され、それらの情報が記憶部２３に記憶されている。放送信号処理部３０は、有線受信部４１から入力された放送コンテンツの圧縮符号化方式（例えばＨ．２６４）及び画面解像度を、各テレビ５Ａ，５Ｂに対応する圧縮符号化方式（例えばＭＰＥＧ−２）及び画面解像度に変換する。有線送信部５１は、放送信号処理部３０から入力された放送コンテンツを、通信ネットワーク３を介して各テレビ５Ａ，５Ｂに送信する。ホームゲートウェイ４から受信した放送コンテンツをテレビ５Ａ，５Ｂによってデコードすることにより、ユーザは放送番組を視聴することができる。なお、ホームゲートウェイ４が放送信号処理部３０を複数セット有することにより、異なるテレビ５Ａ，５Ｂにおいて異なる放送コンテンツを同時に視聴することができる。
【００３０】
＜スタートメニューの取得に関連する処理＞
図４は、テレビ５Ａの外観を示す正面図である。テレビ５Ａは、画面６０とスピーカ６
１とを有している。また、カメラ・マイクユニット６Ａが、テレビ５Ａの筐体上に取り付けられている。但し、カメラ・マイクユニット６Ａは、テレビ５Ａから離れて設置されていても良い。画面６０には、ユーザが現在視聴している放送コンテンツの映像（放送映像）が表示されている。なお、図示は省略するが、テレビ５Ｂの外観も図４と同様である。
【００３１】
ホームゲートウェイ４には、その所在を示す識別情報（ＵＲＬ又はＩＰアドレス等）が設定されており、ホームゲートウェイ４の識別情報がテレビ５Ａ，５Ｂに予め教示されている。テレビ５Ａ，５Ｂは、定期的に（例えば数秒間隔で）ホームゲートウェイ４にアクセスすることにより、ホームゲートウェイ４からスタートメニューを取得する。具体的には、テレビ５Ａ，５Ｂからのスタートメニューの送信要求は、ＢＭＬ又はＨＴＭＬで記述された信号として、通信ネットワーク３を介してＢＭＬ／ＨＴＭＬサーバ３１に入力される。記憶部２３には、ＢＭＬ又はＨＴＭＬで記述されたスタートメニューのデータが予め記憶されている。ＢＭＬ／ＨＴＭＬサーバ３１は、記憶部２３からスタートメニューのデータを読み出し、当該データを通信ネットワーク３を介してテレビ５Ａ，５Ｂに送信する。
【００３２】
テレビ５Ａ，５Ｂは、ホームゲートウェイ４からスタートメニューのデータを受信すると、必要に応じてそれをデコードした後に、放送映像上の所定の箇所に合成することにより、スタートメニューをＯＳＤ画面として放送コンテンツにオーバーレイ表示する。定期的なアクセスによってテレビ５Ａ，５Ｂがホームゲートウェイ４から新たなスタートメニューのデータを取得する度に、画面６０上に表示されているスタートメニューも更新される。なお、スタートメニューは、画面６０内の所定の箇所（図４の例では右下隅）に常に表示されることとなる。但し、常に表示させるのではなく、ＩＰ電話の着信等の所定のイベントが発生した際にポップアップ表示させても良い。
【００３３】
図５は、スタートメニュー７０の一例を示す図である。スタートメニュー７０には、電話、ドアホン、及び防犯センサの各々に関して、その動作や状態を示す文字や図形等の任意の情報（電子機器情報）が表示されている。図５に示した例では、電話、ドアホン、及び防犯センサの各々に対応して、受話器が置かれた状態の電話を模したアイコンと、閉じたドアを模したアイコンと、正弦波の波形を示すアイコンとがそれぞれ表示されている。また、スタートメニュー７０には、電話、ドアホン、及び防犯センサの各々に対応して、詳細ボタンが表示されている。ユーザがテレビ５Ａ，５Ｂのリモコン（又は本体スイッチ。以下同様）を操作することによって詳細ボタンを押下することにより、対応する電子機器の詳細情報や操作メニュー等を表示させることができる。これらの詳細情報や操作メニュー等を表示するための画像データは、ホームゲートウェイ４の記憶部２３内に記憶しておいても良いし、あるいは、ホームゲートウェイ４の外部のＳＩＰサーバ３２、ドアホン７Ｂ、及び防犯センサ７Ｃ内に記憶しておいて、それをホームゲートウェイ４を介してテレビ５Ａ，５Ｂに転送する構成としても良い。
【００３４】
＜ＩＰ電話に関連する処理＞
次に、ユーザがテレビ５Ａによって放送コンテンツを視聴している最中に、ＩＰ電話の着信があった際の処理について説明する。有線受信部４１は、ＩＰ電話１６から送信された接続要求信号を、通信ネットワーク９を介して受信する。有線受信部４１から接続要求信号が入力されると、ＳＩＰサーバ３２は、有線送信部５１から通信ネットワーク３を介してＩＰ電話７Ａに応答要求信号を送信することにより、ＩＰ電話７Ａの着信音を鳴らす。また、ＳＩＰサーバ３２は、無線送信部５１から住宅２内の携帯電話８に応答要求信号を送信することにより、携帯電話８の着信音を鳴らす。
【００３５】
また、有線受信部４１から接続要求信号が入力されると、ＢＭＬ／ＨＴＭＬサーバ３１は、ＩＰ電話の着信をユーザに報知するための所定の着信報知情報を含むスタートメニュ
ー７０Ａのデータを、記憶部２３から読み出す。この着信報知情報は、テレビ５Ａ，５Ｂに表示可能なマークアップ言語（この例ではＢＭＬ又はＨＴＭＬ）で記述された、文字や図形等の任意の情報（上記電子機器情報の一つ）である。ホームゲートウェイ４が次にテレビ５Ａからスタートメニューの送信要求を受信すると、有線送信部５１は、ＢＭＬ／ＨＴＭＬサーバ３１から入力されたスタートメニュー７０Ａ（つまり着信報知情報を含むスタートメニュー）のデータを、通信ネットワーク３を介してテレビ５Ａに送信する。これにより、テレビ５Ａの画面６０には、スタートメニュー７０に代えてスタートメニュー７０Ａが表示されることとなる。
【００３６】
図６は、スタートメニュー７０Ａの一例を示す図である。スタートメニュー７０Ａには、着信報知情報として、着信中（又は使用中）の電話を模したアイコンが表示されている。また、スタートメニュー７０Ａには、着信報知情報の横に応答ボタンが表示されている。
【００３７】
ユーザは、テレビ５Ａのリモコン操作により応答ボタンを押下することによって、着信に応答（オフフック）することができる。この場合、通信相手の音声はテレビ５Ａのスピーカ６１から出力され、ユーザ自身の音声はカメラ・マイクユニット６Ａのマイクに入力される。具体的には、有線受信部４１は、ＩＰ電話１６から送信された通信相手の音声信号を、通信ネットワーク９を介して受信する。有線受信部４１から音声信号が入力されると、ＩＰ電話処理部３３は、有線送信部５１から通信ネットワーク３を介してテレビ５Ａに音声信号を送信する。これにより、通信相手の音声がスピーカ６１から出力される。また、有線受信部４１は、カメラ・マイクユニット６Ａから送信されたユーザ自身の音声信号を、通信ネットワーク３を介して受信する。有線受信部４１から音声信号が入力されると、ＩＰ電話処理部３３は、有線送信部５１から通信ネットワーク９を介してＩＰ電話１６に音声信号を送信する。これにより、ユーザ自身の音声がＩＰ電話１６のスピーカから出力される。
【００３８】
なお、放送コンテンツの音声もテレビ５Ａのスピーカ６１から出力されているため、放送コンテンツの音声がカメラ・マイクユニット６Ａのマイクに入力されて発振してしまう可能性がある。そこで、ＩＰ電話処理部３３は、テレビ５Ａで視聴されている放送コンテンツの音声信号を放送信号処理部３０から取得し、その放送コンテンツの音声信号に対して所定の重み付け値を乗算した音声信号を求めて、その求めた音声信号を、カメラ・マイクユニット６Ａのマイクから入力された音声信号から減算する。これにより、いわゆるエコーキャンセラが実現される。ここで、上記重み付け値を決定する際には、ＩＰ電話処理部３３は、人間の聴覚では感知できない周波数のパイロット信号を、放送コンテンツの音声信号の中に挿入して送信する。また、ＩＰ電話処理部３３は、カメラ・マイクユニット６Ａのマイクから入力された音声信号を受信し、その中に含まれているパイロット信号を検出する。そして、送信したパイロット信号のレベルと受信したパイロット信号のレベルとの比に基づいて、上記重み付け値を決定する。
【００３９】
また、ユーザは、ＩＰ電話７Ａによって着信に応答（オフフック）できるほか、携帯電話８によっても着信に応答することができる。この場合、通信相手の音声は携帯電話８のスピーカから出力され、ユーザ自身の音声は携帯電話８のマイクに入力される。具体的には、有線受信部４１は、ＩＰ電話１６から送信された通信相手の音声信号を、通信ネットワーク９を介して受信する。有線受信部４１から音声信号が入力されると、ＩＰ電話処理部３３は、無線送信部５０から携帯電話８に音声信号を送信する。これにより、通信相手の音声が携帯電話８のスピーカから出力される。また、無線受信部４０は、携帯電話８から送信されたユーザ自身の音声信号を受信する。無線受信部４０から音声信号が入力されると、ＩＰ電話処理部３３は、有線送信部５１から通信ネットワーク９を介してＩＰ電話１６に音声信号を送信する。これにより、ユーザ自身の音声がＩＰ電話１６のスピーカか
ら出力される。なお、携帯電話８によって着信に応答した場合であっても、通信相手の音声をテレビ５Ａのスピーカ６１から出力しても良い。また、この場合にはＩＰ電話処理部３３は、放送コンテンツの音声信号と携帯電話８から受信した音声信号とに基づいて、上記と同様のエコーキャンセラを実行しても良い。
【００４０】
また、テレビ電話機能によって通信相手の映像（以下「相手局映像」と称す）が送信されてきている場合には、ユーザは、テレビ５Ａのリモコン操作によってスタートメニュー７０Ａ内の電話の詳細ボタンを押下し、表示された操作メニューの中で相手局映像の表示をオンに設定することにより、その相手局映像をテレビ５Ａの画面６０に表示させることができる。有線受信部４１は、ＩＰ電話１６から送信された相手局映像を、通信ネットワーク９を介して受信する。有線受信部４１から相手局映像が入力されると、ＢＭＬ／ＨＴＭＬサーバ３１は、相手局映像を、テレビ５Ａ，５Ｂに表示可能なマークアップ言語（この例ではＢＭＬ又はＨＴＭＬ）で記述する。例えばスクリプトを埋め込むことにより、相手局映像を動的なコンテンツとして記述することが可能である。有線送信部５１は、ＢＭＬ又はＨＴＭＬで記述された相手局映像を、通信ネットワーク３を介してテレビ５Ａに送信する。
【００４１】
図７は、テレビ５Ａの外観を示す正面図である。テレビ５Ａは、ホームゲートウェイ４から相手局映像を受信すると、放送映像上の所定の箇所に相手局映像を合成することにより、ＯＳＤ画面７１として放送コンテンツに相手局映像をオーバーレイ表示する。
【００４２】
さらに、テレビ電話機能においては、ユーザがテレビ５Ａのリモコン操作によってスタートメニュー７０Ａ内の電話の詳細ボタンを押下し、表示された操作メニューの中でユーザ自身の映像（以下「自局映像」と称す）の送信をオンに設定することにより、自局映像を通信相手のＩＰ電話１６に送信することができる。また、この場合には、表示された操作メニューの中で自局映像の表示をオンに設定することにより、相手局映像のみならず自局映像をもテレビ５Ａの画面６０に表示させることができる。自局映像は、カメラ・マイクユニット６Ａのカメラによって撮影される。有線受信部４１は、カメラ・マイクユニット６Ａから送信された自局映像を、通信ネットワーク３を介して受信する。有線受信部４１から自局映像が入力されると、ＢＭＬ／ＨＴＭＬサーバ３１は、自局映像を、テレビ５Ａ，５Ｂに表示可能なマークアップ言語（この例ではＢＭＬ又はＨＴＭＬ）で記述する。相手局映像と同様に、例えばスクリプトを埋め込むことによって、自局映像を動的なコンテンツとして記述することが可能である。有線送信部５１は、ＢＭＬ又はＨＴＭＬで記述された自局映像を、通信ネットワーク３を介してテレビ５Ａに送信する。
【００４３】
図７を参照して、テレビ５Ａは、ホームゲートウェイ４から自局映像を受信すると、放送映像上の所定の箇所に自局映像を合成することにより、ＯＳＤ画面７２として放送コンテンツに自局映像をオーバーレイ表示する。
【００４４】
なお、相手局映像及び／又は自局映像をテレビ５Ａに表示させている場合において、ユーザが部屋を移動する等によりテレビ５Ｂへの表示に切り換えたい場合には、以下のような処理を行う。ユーザはテレビ５Ａのリモコンを操作して電話の操作メニューを表示させた後、パスワードを入力するとともに、テレビ５Ａへの表示を停止して一時保留状態とする。パスワードは、テレビ５Ａから通信ネットワーク３を介してホームゲートウェイ４に送信された後、記憶部２３に記憶される。部屋を移動した後、ユーザはテレビ５Ｂのリモコンを操作して電話の操作メニューを表示させた後、さきほど入力したパスワードを再入力する。パスワードは、テレビ５Ｂから通信ネットワーク３を介してホームゲートウェイ４に送信される。ＩＰ電話処理部３３は、テレビ５Ｂから受信したパスワードと、記憶部２３に記憶されているパスワードとを比較し、両者が一致すれば認証が成功したとして、テレビ５Ａに表示していた相手局映像及び／又は自局映像をテレビ５Ｂに表示させる。ま
た、通信相手の音声をテレビ５Ａのスピーカ６１から出力していた場合には、以後はテレビ５Ｂのスピーカ６１からの出力に切り換える。また、カメラ・マイクユニット６Ａからカメラ・マイクユニット６Ｂへの切り換えも行われる。
【００４５】
次に、ユーザがテレビ５Ａによって放送コンテンツを視聴している最中にＩＰ電話の発信（発呼）を行う際の処理について説明する。
【００４６】
ユーザは、テレビ５Ａのリモコン操作によってスタートメニュー７０内の電話の詳細ボタンを押下し、表示された操作メニューの中の通話開始ボタンを押下するとともに通信相手（以下の例ではＩＰ電話１６）の電話番号等を入力することにより、ＩＰ電話の発信を行うことができる。有線受信部４１は、テレビ５Ａから送信された接続要求信号を、通信ネットワーク３を介して受信する。有線受信部４１から接続要求信号が入力されると、ＳＩＰサーバ３２は、有線送信部５１から通信ネットワーク９を介してＩＰ電話１６に応答要求信号を送信する。ＩＰ電話１６が応答して呼接続が完了した後の音声信号の送受信（エコーキャンセラ機能を含む）については着信時の処理と同様であるため、繰り返しの説明は省略する。
【００４７】
また、ユーザは、ＩＰ電話７Ａによって発信できるほか、携帯電話８によってもＩＰ電話の発信を行うことができる。携帯電話８から発信を行う場合には、携帯電話８の操作ボタンを用いて通信相手（ＩＰ電話１６）の電話番号等を入力することができる。但し、携帯電話８のブラウザ機能を用いてホームゲートウェイ４にアクセスすることによって、携帯電話８の画面にスタートメニュー７０を表示させ、上記と同様にスタートメニュー７０から通話開始ボタンの押下操作と通信相手の電話番号等の入力操作とを行っても良い。無線受信部４０は、携帯電話８から送信された接続要求信号を受信する。無線受信部４０から接続要求信号が入力されると、ＳＩＰサーバ３２は、有線送信部５１から通信ネットワーク９を介してＩＰ電話１６に応答要求信号を送信する。ＩＰ電話１６が応答して呼接続が完了した後の音声信号の送受信（エコーキャンセラ機能を含む）については着信時の処理と同様であるため、繰り返しの説明は省略する。
【００４８】
またユーザは、テレビ５Ａのリモコンを操作することにより、自局映像を通信相手（ＩＰ電話１６）に送信することができる。各テレビ５Ａ，５Ｂと各カメラ・マイクユニット６Ａ，６Ｂとの対応関係が予めホームゲートウェイ４に教示されて記憶部２３に記憶されていることにより、テレビ５Ａからの発信の場合には、自局映像を撮影するためにカメラ・マイクユニット６Ａが自動的に選択される。また、携帯電話８からの発信の場合には、携帯電話８からの設定入力によって、カメラ・マイクユニット６Ａ，６Ｂの一方を任意に選択することができる。
【００４９】
有線受信部４１は、カメラ・マイクユニット６Ａ，６Ｂから送信された自局映像を、通信ネットワーク３を介して受信する。また、有線送信部５１は、自局映像を、通信ネットワーク９を介してＩＰ電話１６に送信する。
【００５０】
なお、カメラ・マイクユニット６Ａ，６Ｂに映像のエンコード機能が実装されていない場合には、ＩＰ電話処理部３３が有するエンコード機能を用いて、通信ネットワーク９に適合する所定の圧縮符号化方式（例えばＨ．２６４）で自局映像をエンコードしても良い。また、着信時の処理と同様に、相手局映像及び／又は自局映像をテレビ５Ａに表示させている場合において、ユーザが部屋を移動する等によりテレビ５Ｂへの表示に切り換えたい場合には、パスワードを設定した一時保留処理によって、テレビ及びカメラ・マイクユニットの切り替えを行うことができる。
【００５１】
＜ドアホンに関連する処理＞
次に、ユーザがテレビ５Ａによって放送コンテンツを視聴している最中に、訪問者によってドアホン７Ｂの呼出スイッチが押下された際の処理について説明する。呼出スイッチの押下信号は、ドアホン７Ｂから通信ネットワーク３を介してホームゲートウェイ４に送信される。有線受信部４１は、ドアホン７Ｂから送信された押下信号を、通信ネットワーク３を介して受信する。有線受信部４１から押下信号が入力されると、ドアホン処理部３４は、住宅２内に設置されている図示しないスピーカから所定の呼出音を鳴らす。
【００５２】
また、有線受信部４１から押下信号が入力されると、ＢＭＬ／ＨＴＭＬサーバ３１は、来客をユーザに報知するための所定の来客報知情報を含むスタートメニュー７０Ｂのデータを、記憶部２３から読み出す。この来客報知情報は、テレビ５Ａ，５Ｂに表示可能なマークアップ言語（この例ではＢＭＬ又はＨＴＭＬ）で記述された、文字や図形等の任意の情報（上記電子機器情報の一つ）である。ホームゲートウェイ４が次にテレビ５Ａからスタートメニューの送信要求を受信すると、有線送信部５１は、ＢＭＬ／ＨＴＭＬサーバ３１から入力されたスタートメニュー７０Ｂ（つまり来客報知情報を含むスタートメニュー）のデータを、通信ネットワーク３を介してテレビ５Ａに送信する。これにより、テレビ５Ａの画面６０には、スタートメニュー７０に代えてスタートメニュー７０Ｂが表示されることとなる。
【００５３】
図８は、スタートメニュー７０Ｂの一例を示す図である。スタートメニュー７０Ｂには、来客報知情報として、開いたドアを模したアイコンが表示されている。また、スタートメニュー７０Ｂには、着信報知情報の横に応対ボタンが表示されている。
【００５４】
ユーザは、テレビ５Ａのリモコン操作により応対ボタンを押下することによって、訪問者に応対することができる。この場合、訪問者の音声はテレビ５Ａのスピーカ６１から出力され、ユーザ自身の音声はカメラ・マイクユニット６Ａのマイクに入力される。具体的には、有線受信部４１は、ドアホン７Ｂから送信された訪問者の音声信号を、通信ネットワーク３を介して受信する。有線受信部４１から音声信号が入力されると、ドアホン処理部３４は、有線送信部５１から通信ネットワーク３を介してテレビ５Ａに音声信号を送信する。これにより、訪問者の音声がスピーカ６１から出力される。また、有線受信部４１は、カメラ・マイクユニット６Ａから送信されたユーザ自身の音声信号を、通信ネットワーク３を介して受信する。有線受信部４１から音声信号が入力されると、ドアホン処理部３４は、有線送信部５１から通信ネットワーク３を介してドアホン７Ｂに音声信号を送信する。これにより、ユーザ自身の音声がドアホン７Ｂのスピーカから出力される。
【００５５】
また、ユーザは、テレビ５Ａのリモコン操作によってスタートメニュー７０Ｂ内のドアホンの詳細ボタンを押下し、表示された操作メニューの中で訪問者の映像の表示をオンに設定することにより、ドアホン７Ｂのカメラによって撮影された訪問者の映像をテレビ５Ａの画面６０に表示させることができる。有線受信部４１は、ドアホン７Ｂから送信された訪問者の映像を、通信ネットワーク３を介して受信する。有線受信部４１から訪問者の映像が入力されると、ＢＭＬ／ＨＴＭＬサーバ３１は、訪問者の映像を、テレビ５Ａ，５Ｂに表示可能なマークアップ言語（この例ではＢＭＬ又はＨＴＭＬ）で記述する。例えばスクリプトを埋め込むことにより、訪問者の映像を動的なコンテンツとして記述することが可能である。有線送信部５１は、ＢＭＬ又はＨＴＭＬで記述された訪問者の映像を、通信ネットワーク３を介してテレビ５Ａに送信する。
【００５６】
図９は、テレビ５Ａの外観を示す正面図である。テレビ５Ａは、ホームゲートウェイ４から訪問者の映像を受信すると、放送映像上の所定の箇所に訪問者の映像を合成することにより、ＯＳＤ画面８０として放送コンテンツに訪問者の映像をオーバーレイ表示する。
【００５７】
なお、ＩＰ電話と同様に、ドアホンに関しても上記のエコーキャンセラを実行しても良
い。また、外出等によって住宅２内にユーザが不在である場合には、ユーザはその不在の旨（及び転送先の携帯電話８）をホームゲートウェイ４に設定する。ユーザの不在中に来客があった場合には、ドアホン処理部３４は、ドアホン７Ｂから受信した訪問者の音声信号及び映像信号を、通信ネットワーク９及びそれに接続されている携帯電話の基地局（図示しない）を介して、携帯電話８に転送する。これにより、ユーザは携帯電話８を用いて外出先から訪問者に応対することができる。
【００５８】
＜防犯センサに関連する処理＞
次に、ユーザがテレビ５Ａによって放送コンテンツを視聴している最中に、防犯センサ７Ｃが異常を検知した際の処理について説明する。防犯センサ７Ｃによる異常検知信号は、防犯センサ７Ｃから通信ネットワーク３を介してホームゲートウェイ４に送信される。有線受信部４１は、防犯センサ７Ｃから送信された異常検知信号を、通信ネットワーク３を介して受信する。有線受信部４１から異常検知信号が入力されると、センサ処理部３５は、住宅２に設置されている図示しないスピーカから所定の警報音を鳴らす。
【００５９】
また、有線受信部４１から異常検知信号が入力されると、ＢＭＬ／ＨＴＭＬサーバ３１は、異常の発生をユーザに報知するための所定の異常報知情報を含むスタートメニュー７０Ｃのデータを、記憶部２３から読み出す。この異常報知情報は、テレビ５Ａ，５Ｂに表示可能なマークアップ言語（この例ではＢＭＬ又はＨＴＭＬ）で記述された、文字や図形等の任意の情報（上記電子機器情報の一つ）である。ホームゲートウェイ４が次にテレビ５Ａからスタートメニューの送信要求を受信すると、有線送信部５１は、ＢＭＬ／ＨＴＭＬサーバ３１から入力されたスタートメニュー７０Ｃ（つまり異常報知情報を含むスタートメニュー）のデータを、通信ネットワーク３を介してテレビ５Ａに送信する。これにより、テレビ５Ａの画面６０には、スタートメニュー７０に代えてスタートメニュー７０Ｃが表示されることとなる。
【００６０】
図１０は、スタートメニュー７０Ｃの一例を示す図である。スタートメニュー７０Ｃには、異常報知情報として、星印及びエクスクラメーションマークを含むアイコンが表示されている。
【００６１】
また、防犯センサ７Ｃがカメラを有している場合には、ユーザは、テレビ５Ａのリモコン操作によってスタートメニュー７０Ｃ内の防犯センサの詳細ボタンを押下し、表示された操作メニューの中で監視領域の映像の表示をオンに設定することにより、防犯センサ７Ｃのカメラによって撮影された監視領域（例えば玄関先）の映像をテレビ５Ａの画面６０に表示させることができる。有線受信部４１は、防犯センサ７Ｃから送信された監視領域の映像を、通信ネットワーク３を介して受信する。有線受信部４１から監視領域の映像が入力されると、ＢＭＬ／ＨＴＭＬサーバ３１は、監視領域の映像を、テレビ５Ａ，５Ｂに表示可能なマークアップ言語（この例ではＢＭＬ又はＨＴＭＬ）で記述する。例えばスクリプトを埋め込むことにより、監視領域の映像を動的なコンテンツとして記述することが可能である。有線送信部５１は、ＢＭＬ又はＨＴＭＬで記述された監視領域の映像を、通信ネットワーク３を介してテレビ５Ａに送信する。
【００６２】
図１１は、テレビ５Ａの外観を示す正面図である。テレビ５Ａは、ホームゲートウェイ４から監視領域の映像を受信すると、放送映像上の所定の箇所に監視領域の映像を合成することにより、ＯＳＤ画面９０として放送コンテンツに監視領域の映像をオーバーレイ表示する。
【００６３】
また、外出等によって住宅２内にユーザが不在である場合には、ユーザはその不在の旨（及び転送先の携帯電話８）をホームゲートウェイ４に設定する。ユーザの不在中に防犯センサ７Ｃが異常を検知した場合には、センサ処理部３５は、異常報知情報及び監視領域
の映像を、通信ネットワーク９及びそれに接続されている携帯電話の基地局（図示しない）を介して、携帯電話８に転送する。これにより、ユーザは外出先で異常の発生を知ることができる。
【００６４】
なお、防犯センサ７Ｃに限らず、浴室やトイレ等での居住者の卒倒を検知するためのセンサ（以下「見守りセンサ」と称す）に関しても、上記と同様の処理を行うことができる。見守りセンサにマイク及びスピーカが装備されている場合には、ユーザは、テレビ５Ａのリモコンを操作することによって、見守りセンサを介して居住者と通話することができる。この場合、居住者の音声はテレビ５Ａのスピーカ６１から出力され、ユーザ自身の音声はカメラ・マイクユニット６Ａのマイクに入力される。具体的には、有線受信部４１は、見守りセンサから送信された居住者の音声信号を、通信ネットワーク３を介して受信する。有線受信部４１から音声信号が入力されると、センサ処理部３５は、有線送信部５１から通信ネットワーク３を介してテレビ５Ａに音声信号を送信する。これにより、居住者の音声がスピーカ６１から出力される。また、有線受信部４１は、カメラ・マイクユニット６Ａから送信されたユーザ自身の音声信号を、通信ネットワーク３を介して受信する。有線受信部４１から音声信号が入力されると、センサ処理部３５は、有線送信部５１から通信ネットワーク３を介して見守りセンサに音声信号を送信する。これにより、ユーザ自身の音声が見守りセンサのスピーカから出力される。
【００６５】
なお、ＩＰ電話と同様に、見守りセンサに関しても上記のエコーキャンセラを実行しても良い。また、外出等によって住宅２内にユーザが不在である場合には、ユーザはその不在の旨（及び転送先の携帯電話８）をホームゲートウェイ４に設定する。ユーザの不在中に見守りセンサが異常を検知した場合には、センサ処理部３５は、異常報知情報を、通信ネットワーク９及びそれに接続されている携帯電話の基地局（図示しない）を介して、携帯電話８に転送する。これにより、ユーザは外出先で異常の発生を知ることができる。また、センサ処理部３５を経由して携帯電話８と見守りセンサとの間で音声信号を送受信することにより、ユーザが外出先で携帯電話８を用いて居住者と通話できる構成としても良い。
【００６６】
＜パソコンに関連する処理＞
有線受信部４１は、パソコン７Ｄの画面に表示されている画像を、パソコン７Ｄから通信ネットワーク３を介して受信する。有線受信部４１からパソコン７Ｄの画像が入力されると、ＢＭＬ／ＨＴＭＬサーバ３１は、パソコン７Ｄの画像を、テレビ５Ａ，５Ｂに表示可能なマークアップ言語（この例ではＢＭＬ又はＨＴＭＬ）で記述する。有線送信部５１は、ＢＭＬ又はＨＴＭＬで記述されたパソコン７Ｄの画像を、ユーザによって指定されたテレビ５Ａ，５Ｂ（以下の例ではテレビ５Ａとする）に通信ネットワーク３を介して送信する。テレビ５Ａは、ホームゲートウェイ４からパソコン７Ｄの画像を受信すると、放送映像上の所定の箇所にパソコン７Ｄの画像を合成することにより、ＯＳＤ画面として放送コンテンツにパソコン７Ｄの画像をオーバーレイ表示する。ユーザは、テレビ５Ａに表示されたパソコン７Ｄの画像を参照しながら、テレビ５Ａのリモコンを操作することによって、あるいは、テレビ５Ａに接続可能なマウスやキーボード等の入力デバイスを操作することによって、パソコン７Ｄを遠隔操作することができる。テレビ５Ａのリモコン等から入力されたデータは、テレビ５Ａから通信ネットワーク３及びホームゲートウェイ４を介して、パソコン７Ｄに送信される。
＜まとめ＞
【００６７】
本実施の形態に係るホームネットワークシステム１によれば、ホームゲートウェイ４は、ＩＰ電話７Ａ、ドアホン７Ｂ、防犯センサ７Ｃ、及びパソコン７Ｄ等の電子機器の状態及び／又は動作に関する電子機器情報を取得し、当該電子機器情報を含む、テレビ５Ａ，５Ｂが表示可能な所定のマークアップ言語（上記の例ではＢＭＬ又はＴＨＭＬ）で記述さ
れたデータを、通信ネットワーク３を介してテレビ５Ａ，５Ｂに送信する。そして、テレビ５Ａ，５Ｂは、ホームゲートウェイ４から受信した当該電子機器情報を含むデータを、放送コンテンツにオーバーレイ表示する。このように、ホームゲートウェイ４からテレビ５Ａ，５Ｂには、電子機器の状態及び／又は動作に関する電子機器情報を含むデータが、テレビ５Ａ，５Ｂが表示可能な所定のマークアップ言語で記述されて送信される。その結果、複数のテレビ５Ａ，５Ｂの各々にセットトップボックスが接続されていない場合であっても、電子機器の状態及び／又は動作に関する電子機器情報を含むデータを、各テレビ５Ａ，５Ｂにおいて放送コンテンツにオーバーレイ表示することが可能となる。
【００６８】
また、本実施の形態に係るホームネットワークシステム１によれば、ホームゲートウェイ４は、ＩＰ電話７Ａへの着信情報を取得し、着信報知情報を含む、テレビ５Ａ，５Ｂが表示可能な所定のマークアップ言語で記述されたデータ（つまりスタートメニュー７０Ａのデータ）を、通信ネットワーク３を介してテレビ５Ａ，５Ｂに送信する。そして、テレビ５Ａ，５Ｂは、ホームゲートウェイ４から受信した着信報知情報（厳密には着信報知情報を含むスタートメニュー７０Ａ）を放送コンテンツにオーバーレイ表示する。このように、ＩＰ電話７Ａに関する着信報知情報をテレビ５Ａ，５Ｂにおいて放送コンテンツにオーバーレイ表示することにより、ユーザの利便性の向上を図ることができる。
【００６９】
また、本実施の形態に係るホームネットワークシステム１によれば、ホームゲートウェイ４は、通信相手のＩＰ電話１６から送信されてきた相手局映像を取得し、当該相手局映像を、テレビ５Ａ，５Ｂが表示可能な所定のマークアップ言語で記述して、通信ネットワーク３を介してテレビ５Ａ，５Ｂに送信する。そして、テレビ５Ａ，５Ｂは、ホームゲートウェイ４から受信した相手局映像を放送コンテンツにオーバーレイ表示する。このように、相手局映像をテレビ５Ａ，５Ｂにおいて放送コンテンツにオーバーレイ表示することにより、ユーザの利便性の向上を図ることができる。
【００７０】
また、本実施の形態に係るホームネットワークシステム１によれば、ホームゲートウェイ４は、ドアホン７Ｂが有する呼出スイッチの押下情報を取得し、来客報知情報を含む、テレビ５Ａ，５Ｂが表示可能な所定のマークアップ言語で記述されたデータ（つまりスタートメニュー７０Ｂのデータ）を、通信ネットワーク３を介してテレビ５Ａ，５Ｂに送信する。そして、テレビ５Ａ，５Ｂは、ホームゲートウェイ４から受信した来客報知情報（厳密には来客報知情報を含むスタートメニュー７０Ｂ）を放送コンテンツにオーバーレイ表示する。このように、来客報知情報をテレビ５Ａ，５Ｂにおいて放送コンテンツにオーバーレイ表示することにより、ユーザの利便性の向上を図ることができる。
【００７１】
また、本実施の形態に係るホームネットワークシステム１によれば、ホームゲートウェイ３は、ドアホン７Ｂから送信されてきた訪問者の映像を取得し、当該訪問者の映像を、テレビ５Ａ，５Ｂが表示可能な所定のマークアップ言語で記述して、通信ネットワーク３を介してテレビ５Ａ，５Ｂに送信する。そして、テレビ５Ａ，５Ｂは、ホームゲートウェイ３から受信した訪問者の映像を放送コンテンツにオーバーレイ表示する。このように、訪問者の映像をテレビ５Ａ，５Ｂにおいて放送コンテンツにオーバーレイ表示することにより、ユーザの利便性の向上を図ることができる。
【００７２】
また、本実施の形態に係るホームネットワークシステム１によれば、ホームゲートウェイ４は、防犯センサ７Ｃからの異常検知情報を取得し、異常報知情報を含む、テレビ５Ａ，５Ｂが表示可能な所定のマークアップ言語で記述されたデータ（つまりスタートメニュー７０Ｃのデータ）を、通信ネットワーク３を介してテレビ５Ａ，５Ｂに送信する。そして、テレビ５Ａ，５Ｂは、ホームゲートウェイ４から受信した異常報知情報（厳密には異常報知情報を含むスタートメニュー７０Ｃ）を放送コンテンツにオーバーレイ表示する。このように、異常報知情報をテレビ５Ａ，５Ｂにおいて放送コンテンツにオーバーレイ表
示することにより、ユーザの利便性の向上を図ることができる。
【００７３】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００７４】
１  ホームネットワークシステム
３，９  通信ネットワーク
４  ホームゲートウェイ
５Ａ，５Ｂ  テレビ
７Ａ  ＩＰ電話
７Ｂ  ドアホン
７Ｃ  防犯センサ
３０  放送信号処理部
３１  ＢＭＬ／ＨＴＭＬサーバ
３２  ＳＩＰサーバ
３３  ＩＰ電話処理部
３４  ドアホン処理部
３５  センサ処理部
７０，７０Ａ〜７０Ｃ  スタートメニュー
７１，７２，８０，９０  ＯＳＤ画面
【図１】
2011010084.tif 000003
【図２】
2011010084.tif 000004
【図３】
2011010084.tif 000005
【図４】
2011010084.tif 000006
【図５】
2011010084.tif 000007
【図６】
2011010084.tif 000008
【図７】
2011010084.tif 000009
【図８】
2011010084.tif 000010
【図９】
2011010084.tif 000011
【図１０】
2011010084.tif 000012
【図１１】
2011010084.tif 000013